(57)【要約】【課題】結ばなくても首に安定して巻くことができるタオルを提供する。【解決手段】タオル本体１１の一端側に、タオル本体１１の他端側を挿通させる挿通部１２を備えたことを特徴とするタオル１０。また、前記挿通部１２は、タオル本体１１の全幅の１／２、１／３または１／４の長さであり、両端部分が前記タオル本体１１に接合された帯状部材または紐状部材により形成されていると共に、タオル本体１１の端部よりも内方に設けられていることを特徴とするタオル１０。【選択図】図３
2012130665.tif 000002
【特許請求の範囲】
【請求項１】
タオル本体の一端側に、前記タオル本体の他端側を挿通させる挿通部を具備する
ことを特徴とするタオル。
【請求項２】
前記挿通部は、前記タオル本体の全幅の１／２、１／３または１／４の長さであり、両端部分が前記タオル本体に接合された帯状部材または紐状部材により形成されていると共に、前記タオル本体の端部よりも内方に設けられている
ことを特徴とする請求項１に記載のタオル。
【請求項３】
前記タオル本体の一端側に貫通して形成された孔部と、
該孔部に挿通可能な帯状または紐状で、両端部の係合により環状となる孔部挿通片とを具備し、
前記挿通部は、前記孔部に挿通されると共に両端部が係合した前記孔部挿通片によって形成されている
ことを特徴とする請求項１に記載のタオル。
【請求項４】
前記タオル本体の全長を二分する中央線を挟んで所定距離はなれた位置に、貫通して形成された一対の内方孔部と、
該内方孔部に挿通可能な帯状または紐状で、両端部の係合により環状となる内方孔部挿通片とを具備する
ことを特徴とする請求項１乃至請求項３の何れか一つに記載のタオル。
【請求項５】
前記挿通部は、少なくとも一部に消臭テープを用いた帯状の材料で形成されている
ことを特徴とする請求項１乃至請求項４の何れか一つに記載のタオル。
【請求項６】
前記挿通部として、
前記タオル本体の一端側に設けられた第一挿通部と、
該第一挿通部が設けられた面とは反対側の面で前記タオル本体の他端側に設けられた第二挿通部とを具備する
ことを特徴とする請求項１乃至請求項５の何れか一つに記載のタオル。
【発明の詳細な説明】
【技術分野】
【０００１】
本発明は、タオルに関するものであり、詳しくは、結ばなくても首に安定して巻くことができるタオルに関するものである。
【背景技術】
【０００２】
ジョギングやウォーキングの際、農作業や建築作業の際等において、汗を拭くために首にタオルを巻くことがある。ここで、タオルを首に単に巻いただけでは、運動中や作業中に首からタオルが簡単に落ちてしまうため、タオルの両端を結ぶことが一般的になされている。
【発明の概要】
【発明が解決しようとする課題】
【０００３】
しかしながら、首に巻いたタオルを結ぶと、結び目があごの下に位置して違和感を生じる。また、結び目が大きく膨れるため、不恰好となる。さらに、首から垂れ下がるタオルの両端部分が結び目の分だけ短くなり、タオルの端で顔の汗を拭こうとしても、タオルが届かなくなる場合もある。よって、結ばなくてもタオルを首に安定して巻けるようにすることが望まれる。
【０００４】
本発明は、上記実情を鑑みてなされたものであり、結ばなくても首に安定して巻くことができるタオルの提供を課題とする。
【課題を解決するための手段】
【０００５】
上記課題を解決するために本発明の採った主要な手段は、
「タオル本体の一端側に、タオル本体の他端側を挿通させる挿通部を備えたことを特徴とするタオル」
である。
【０００６】
ここで、挿通部としては、タオル本体の他端側を挿通可能なものであればよく、後述するように、タオル本体とは別個の帯状部材または紐状部材の両端をタオル本体に縫着や接着等によって接合してなるもの、タオル本体とは別個の予め環状に形成された帯状部材または紐状部材を縫着や接着等によってタオル本体に接合してなるもの、タオル本体に設けられた切れ目によって形成されたもの、タオル本体とは別個の帯状または紐状の部材がタオル本体に設けられた孔部に挿通された上で、両端部の係合により環状を形成したもの等を例示することができる。
【０００７】
上記構成のタオルは、タオル本体を首に巻いた上で、タオル本体の一端側に設けられた挿通部にタオル本体の他端側を挿通させれば、首に巻いた状態で安定して保持される。
【０００８】
よって、上記構成によれば、結ばなくても首に安定して巻くことができるタオルを実現することができる。
【０００９】
上述した手段において、
「前記挿通部は、タオル本体の全幅の１／２、１／３または１／４の長さであり、両端部分が前記タオル本体に接合された帯状部材または紐状部材により形成されていると共に、タオル本体の端部よりも内方に設けられていることを特徴とするタオル」
とするのが好適である。
【００１０】
上記構成のタオルでは、タオル本体を二つ折り、三つ折りまたは四つ折りにした上で、挿通部が設けられたタオル本体の端部を挿通部にくぐらせれば、二つ折り、三つ折りまたは四つ折りにしたタオル本体が展開しないように安定させることができる。
【００１１】
よって、上記構成のタオルによれば、使い勝手を向上させることができる。
【００１２】
なお、上記構成において、帯状部材または紐状部材の長さであるタオル本体の全幅の１／２、１／３または１／４の長さとは、二つ折り、三つ折りまたは四つ折りにしたタオル本体の幅に対応した寸法を示すものであり、タオル本体の全幅寸法に対する厳密な数値を示すものではない。換言すれば、帯状部材または紐状部材の長さは、タオル本体の全幅寸法に対して、概ね、１／２、１／３または１／４であればよく、明確な数値として示すのであれば、タオル本体の全幅の１／２、１／３または１／４の数値の±２０％以内の範囲であればよい。
【００１３】
上述した手段において、
「前記挿通部は、前記タオル本体の長さ方向に対して傾斜状に設けられている」ものとしても良い。
【００１４】
上記構成のタオルでは、挿通部がタオル本体の長さ方向に対して傾斜状に設けられているため、タオル本体の一端側に設けられた挿通部に、タオル本体の他端側を斜め方向から挿通させることができる。
【００１５】
よって、上記構成のタオルによれば、より一層、使い勝手を向上させることができる。
【００１６】
上述した手段において、
「前記タオル本体の一端側に貫通して形成された孔部と、
該孔部に挿通可能な帯状または紐状で、両端部の係合により環状となる孔部挿通片とを具備し、
前記挿通部は、前記孔部に挿通されると共に両端部が係合した前記孔部挿通片によって形成されている」
ものとすることができる。
【００１７】
上記構成のタオルでは、挿通部を形成する孔部挿通片が、タオル本体に対して着脱自在である。これにより、タオルを首に巻かないときは、孔部挿通片を取り外して、通常のタオルと同様に使用することができる。また、一つのタオル本体に対して複数の孔部挿通片を具備することとし、複数の孔部挿通片の色、柄、素材などを相違させることができる。かかる構成では、孔部に挿通して挿通部を形成させる孔部挿通片を、色、柄、素材などの異なるものに取り換えることにより、首に巻かれるタオルのデザインを変化させることができる。
【００１８】
上述した手段において、
「前記タオル本体の全長を二分する中央線を挟んで所定距離はなれた位置に、貫通して形成された一対の内方孔部と、
該内方孔部に挿通可能な帯状または紐状で、両端部の係合により環状となる内方孔部挿通片とを具備する」ものとすることができる。
【００１９】
上記構成のタオルでは、一対の内方孔部それぞれに内方孔部挿通片を挿通し、挿通された内方孔部挿通片でタオル本体を外側から巻回した上で、両端を係合し環状とすることができる。これにより、一対の内方孔部の間でタオル本体が折り畳まれた場合に、その状態を一対の内方孔部挿通片で保持することができる。従って、タオル本体を中央付近で折り畳み、その中に保冷剤パックやカイロを包めば、その状態が内方孔部挿通片によって保持されるため、タオルを首に巻いた状態で、首の後ろを保冷剤で冷やしたりカイロで暖めたりすることができる。よって、上記構成のタオルは、首に巻いて使用するタオルとして、より適している。
【００２０】
上述した手段において、
「前記挿通部は、少なくとも一部に消臭テープを用いた帯状の材料で形成されている」ものとすることができる。
【００２１】
上記構成のタオルは、消臭テープを備える挿通部が消臭作用を発揮するため、首に巻いて使用し、首や顔の汗を吸収することとなるタオルとして、より適している。
【００２２】
なお、消臭テープとしては、消臭・抗菌作用を有する金属の微粒子、光触媒作用を有する金属酸化物、吸着作用を有する多孔質材料、臭いの元となる成分を中和させる酸性成分またはアルカリ性成分等を、担持または包含させた繊維を用いた市販の消臭テープを使用可能である。
【００２３】
上述した手段において、
「前記挿通部として、
前記タオル本体の一端側に設けられた第一挿通部と、
該第一挿通部が設けられた面とは反対側の面で前記タオル本体の他端側に設けられた第二挿通部とを具備する」ものとすることができる。
【００２４】
上記構成のタオルでは、タオル本体の二面のうち、どちらの面を外側にして首に巻いても、第一挿通部及び第二挿通部の何れかがタオル本体の一端の外側にあらわれ、ここにタオル本体の他端を挿通することができる。従って、どちらの面を外側にして首に巻くかを使用者が気にする必要がなく、より使い勝手が良い。
【００２５】
また、タオル本体の何れの面が外側となっても、結ばずに首に安定して巻くことができるため、二面の色や柄が異なるリバーシブルタイプのタオル本体とすることができる。
【発明の効果】
【００２６】
上述した通り、本発明によれば、結ばなくても首に安定して巻くことができるタオルを提供することができる。
【図面の簡単な説明】
【００２７】
【図１】本発明に係るタオルの第一実施形態を示す平面図である。
【図２】図１に示したタオルの寸法を説明する平面図である。
【図３】図１に示したタオルの使用状態を説明する斜視図である。
【図４】図１に示したタオルの使用状態を説明する斜視図である。
【図５】図１に示したタオルの使用状態を説明する斜視図である。
【図６】図１に示したタオルについて、他の形態の使用状態を説明する斜視図である。
【図７】図１に示したタオルについて、更に他の形態を説明する斜視図である。
【図８】図１に示したタオルの変形例を示す平面図である。
【図９】図８に示したタオルの使用状態を説明する斜視図である。
【図１０】図８に示したタオルの使用状態を説明する斜視図である。
【図１１】本発明に係るタオルの第二実施形態を示す平面図である。
【図１２】図１１に示したタオルの使用状態を説明する斜視図である。
【図１３】本発明に係るタオルの第三実施形態を示す平面図である。
【図１４】図１３に示したタオルの他の形態を示す平面図である。
【図１５】本発明に係るタオルの第四実施形態を示す平面図である。
【図１６】図１に示したタオルの他の変形例を示す平面図である。
【発明を実施するための形態】
【００２８】
本発明の第一実施形態のタオル１０について、図１乃至図７を用いて説明する。
【００２９】
このタオル１０は、タオル本体１１を有している。ここで、タオル本体１１は、タオル地やガーゼ生地等から形成されており、幅２０ｃｍ〜４０ｃｍ、長さ８０ｃｍ〜１２０ｃｍ程度のものである。
【００３０】
そして、このタオル本体１１の一端側には、タオル本体１１の他端側を挿通させる挿通部１２が設けられている。
【００３１】
ここで、挿通部１２としては、タオル本体１１とは別個の予め環状に形成された帯状部材または紐状部材を縫着や接着等によってタオル本体１１に接合してなるもの、タオル本体１１に設けられた切れ目によって形成されたものとしてもよいが、本例では、両端部分がタオル本体１１に縫着された帯状部材１３を用いて形成してある。
【００３２】
なお、帯状部材１３としては、伸縮性の低い布地によって構成されたものや、伸縮性に優れた帯ゴムによって構成されたものを例示することができる。また、帯状部材１３に代えて、紐状部材によって挿通部１２を形成することもできる。この場合においても、紐状部材として、伸縮性の低い紐によって構成されたものや、伸縮性に優れたゴム紐によって構成されたものを例示することができる。
【００３３】
挿通部１２を形成する帯状部材１３の長さｂは、四つ折りにしたタオル本体１１を挿通させることができるよう、タオル本体１１の幅寸法ａに対して１／４の寸法となっている。また、挿通部１２を形成する帯状部材１３は、タオル本体１１の長さ方向に対して直角な状態で配置されていると共に、幅方向においてタオル本体１１の中央から一側（図示上側）に偏って配置されている。
【００３４】
さらに、挿通部１２を形成する帯状部材１３は、タオル本体１１の端部から寸法ｃだけ内方の部位に配置されている。ここで、寸法ｃとしては、二つ折り、三つ折りや四つ折り等、折った状態のタオル本体１１の幅寸法の少なくとも２倍とすると、後述するように、タオル本体の挿通部が設けられた側の端部をくぐらせて折られたタオル地を安定させるのに好適である。すなわち、タオル本体１１を二つ折りで使用するのであるなら、寸法ｃを少なくともタオル本体の幅寸法ａ、タオル本体１１を三つ折りで使用するのであるなら、寸法ｃを少なくともタオル本体の幅寸法ａ×２／３、タオル本体１１を四つ折りで使用するのであるなら、寸法ｃを少なくともタオル本体の幅寸法ａ×２／４（ａ×１／２）とすればよい。
【００３５】
また、挿通部１２を設ける位置は、図２に示すように、タオル本体１１の全長を二分する中央線Ｎから挿通部１２までの距離Ｌとして、２５ｃｍ〜４０ｃｍとすると好適である。また、男性と女性とでは首周りのサイズが異なることから、男性用ではＬを３０ｃｍ〜４０ｃｍとし、女性用ではＬを２５ｃｍ〜３５ｃｍとすると、より好適である。
【００３６】
次に、本例のタオル１０の使用態様を説明する。
【００３７】
図３（ａ）に示すように、まず、タオル本体１１を２点鎖線に沿って二つ折りにする（矢印ａ）。次に、図３（ｂ）に示すように、二つ折りにしたタオル本体１１をさらに２点鎖線に沿って折り曲げ（矢印ｂ）、タオル本体１１を四つ折りにする。この時、挿通部１２が折られたタオル本体１１の内部に隠れずに正面側に露呈するようにする。
【００３８】
次に、図３（ｃ）に示すように、タオル本体１１の挿通部１２が設けられた側の端部を挿通部１２にくぐらせる（矢印ｃ）。すると、図３（ｄ）に示すように、四つ折りになったタオル本体１１が不用意に展開しないように、タオル本体１１を四つ折り状態で安定させることができる。
【００３９】
このように四つ折り状態としたタオル本体１１を、図４に示すように、首に巻きつけ、一端側の挿通部１２に他端側を挿通させる（矢印ｄ）。すると、図５に示すように、タオル本体１１の両端を結ばなくても安定した状態で首に巻きつけることができる。
【００４０】
なお、寸法ｃをより長くし、図６に示すように、タオル本体１１が挿通部１２より先で長く垂れ下がるようにすることができる。この場合、例えば、寸法ｃを２０ｃｍ〜４０ｃｍとすることができる。このように、挿通部１２より先で垂れ下がる部分を長くすることにより、タオルを首に巻いた状態で、挿通部１２より先の端部側のタオル本体１１で、余裕を持って顔や頭部の汗を拭うことができる。
【００４１】
上記では、両端部分がタオル本体１１に接合されて挿通部１２を形成する帯状部材として、長さが短い帯状部材１３を例示したが、図７に示すように、タオル本体１１の全幅にわたる長さの帯状部材１４で、挿通部１２を形成することもできる。
【００４２】
ここで、図７（ａ）では、帯状部材１４が、それぞれタオル本体１１の幅寸法の約１／３の長さ分の両端部分で、タオル本体１１に接合されることによって、タオル本体１１の幅寸法の１／３の長さの挿通部１２が一箇所形成されている場合を図示している。また、図７（ｂ）では、帯状部材１４が、それぞれタオル本体１１の幅寸法の約１／４の長さ分の両端部分で、タオル本体１１に接合されることに加え、帯状部材１４の中央部分もタオル本体１１に接合されることによって、タオル本体１１の幅寸法の１／４の長さの挿通部１２が二箇所形成されている場合を図示している。このように、二つの挿通部１２を有することにより、タオル本体１１を四つ折りにして首に巻いた際、正面側に位置する挿通部１２にも、裏側に位置する挿通部１２にもタオル本体１１の他端を挿通することができる。
【００４３】
次に、第一実施形態のタオル１０の変形例を、図８乃至図１０を用いて説明する。
【００４４】
このタオル１０は、上述の例とは、挿通部１２の配置態様が異なるものである。
【００４５】
このタオル１０では、挿通部１２、より具体的には、挿通部１２を形成する帯状部材１３が、タオル本体１１の長さ方向に対して傾斜した状態で配置されている。
【００４６】
このようにタオル本体１１の長さ方向に対して傾斜状の挿通部１２を備えたタオル１０では、図９に示すように、首に巻いて挿通部１２にタオル本体１１の他端側を挿通させるに際して、タオル本体１１の他端側を迎え入れる方向に挿通部１２の開口を向かせることができる。よって、タオル本体１１の他端側を挿通部１２に挿通させ易くすることができる。
【００４７】
また、首に巻いた状態では、図１０に示すように、タオル本体１１の両端がクロス状態で垂れ下がることになり、首に巻いたタオル１０のファッション性を向上させることもできる。
【００４８】
ところで、上述した各例では、挿通部１２が表側に露呈するようにタオル１０を首に巻きつけた例を示したが、挿通部１２が裏側に隠れるようにしてもよい。
【００４９】
また、挿通部１２が表側に露呈するように使用する場合には、挿通部１２を形成する帯状部材を、タオル本体１１とは生地、色、柄等が異なる布地によって形成したり、帯状部材にワンポイントのマークを入れる等すると、帯状部材を目立たせることができ、ファッション性を向上させることができる。
【００５０】
次に、本発明の第二実施形態のタオルに２０について、図１１及び図１２を用いて説明する。タオル２０は、タオル本体２１の一端側に貫通して形成された孔部２３と、孔部２３に挿通可能な帯状または紐状で、両端部の係合により環状となる孔部挿通片２５とを具備し、孔部２３に挿通されると共に両端部が係合した孔部挿通片２５によって挿通部２２が形成されているものである。
【００５１】
より詳細には、孔部２３は、ボタン穴のようにタオル本体２１に設けた切込みの周囲をかがることにより形成されている。図１１では、タオル本体２１の一端側に二つの孔部２３が形成されている場合を例示している。
【００５２】
孔部挿通片２５は、タオル本体２１とは別体であり、両端の係合及び係合の解除が可能である。図１１では、孔部挿通片２５が帯状で、一端に取り付けられたボタン２６と、他端に設けられたボタン穴２７によって、両端が係合し係合が解除される場合を例示しているが、これに限定されず、雌雄のスナップ、鉤状フックとその係止環、雌雄の面ファスナー、一端に設けられ他端を挟着するクリップによって、両端が係合し係合が解除される構成であっても良い。
【００５３】
使用の際には、両端の係合が解除された状態の孔部挿通片２５を、孔部２３に挿通する。図１１の例では、二つの孔部２３に一本の孔部挿通片２５を挿通する。これにより、孔部挿通片２５の両端が、それぞれ孔部２３の一方を介して、タオル本体２１の同一面側に引き出された状態となる。その後、孔部挿通片２５でタオル本体２１を外側から巻くように回した上で、孔部挿通片２５の両端を係合させる。これにより、図１２（ａ），（ｂ）に示すように、環状となった孔部挿通片２５によって挿通部２２が形成され、ここにタオル本体２１の他端を挿通することができる。なお、図１２（ａ）は、孔部挿通片２５を係合させた側を裏面側にしてタオル２０を首に巻いた状態を図示し、図１２（ｂ）では孔部挿通片２５を係合させた側を正面側にしてタオル２０を首に巻いた状態を図示している。
【００５４】
なお、図１２（ｃ）に示すように、孔部挿通片２５でタオル本体２１を外側から巻回することなく、孔部挿通片２５の両端を係合させて環状としても良い。この場合は、挿通部２２が設けられた端部側のタオル本体２１をほぼ展開させた状態で、他端を挿通部２２に挿通することができるため、身体の前面部を広い面積でタオル本体２１によって覆うことができる。
【００５５】
第二実施形態のタオル２０では、タオル本体２１に対して孔部挿通片２５が着脱自在であるため、色、柄、素材などが相違する複数の孔部挿通片２５から、挿通部２２を形成させる孔部挿通片２５を選び、取り換えて使用することができる。また、タオル２０を首に巻かないときは、孔部挿通片２５を取り外して、通常のタオルと同様に使用することができる。なお、一つの孔部挿通片２５を複数のタオル本体２１で共用することも、もちろん可能である。
【００５６】
次に、本発明の第三実施形態のタオル３０について、図１３を用いて説明する。タオル３０は、タオル本体３１の一端側に挿通部１２を具備することに加えて、タオル本体３１の全長を二分する中央線Ｎを挟んで所定距離はなれた位置に、貫通して形成された一対の内方孔部３３ａ，３３ｂと、内方孔部３３ａ，３３ｂに挿通可能な帯状または紐状で、両端部の係合により環状となる内方孔部挿通片３５とを具備している。
【００５７】
より詳細には、内方孔部３３ａ，３３ｂは、孔部２３と同様にタオル本体に設けた切込みの周囲をかがることにより形成されている。また、中央線Ｎを挟んで左右に位置する一対の内方孔部３３ａ，３３ｂは、それぞれが対をなしている。一対の内方孔部３３ａ，３３ｂのうち、中央線Ｎに対して挿通部１２と同じ側にある内方孔部３３ａは、挿通部１２より内方（中央線寄り）に位置している。なお、一対の内方孔部３３ａ，３３ｂ間の距離は、２０ｃｍ〜３０ｃｍとすると好適である。内方孔部挿通片３５は、構成としては上記の孔部挿通片２５と同一であり、タオル本体３１とは別体で、両端の係合及び係合の解除が可能である。
【００５８】
使用の際には、一対の内方孔部３３ａ，３３ｂの間でタオル本３１体を折り畳み、保冷剤パックやカイロを包む。そして、一対の内方孔部３３ａ，３３ｂそれぞれに挿通した内方孔部挿通片３５を、タオル本体３１を外側から巻くように回した上で、両端を係合させる。これにより、図１３（ｂ）に示すように、一対の内方孔部３３ａ，３３ｂの間でタオル本体３１が折り畳まれた状態が、一対の内方孔部挿通片３５で保持されるため、タオル３０を首に巻いた状態で、首の後部をタオル本体３１に包まれた保冷剤パックで冷やし、或いは、カイロで暖めることができる。
【００５９】
ここで、図１３（ａ）では、第一実施形態の挿通部１２を備えるタオル本体３１に内方孔部３３ａ，３３ｂが形成されているタオル３０を例示したが、これに限定されず、図１４に示すように、孔部挿通片２５が挿通される孔部２３が設けられたタオル本体３１ｂに、更に内方孔部３３ａ，３３ｂが形成されているタオル３０ｂとすることもできる。このようなタオル３０ｂでは、構成としては同一の孔部挿通片２５を内方孔部挿通片３５として使用し、内方孔部３３ａ，３３ｂに挿通したり、内方孔部挿通片３５を孔部挿通片２５として使用し、孔部２３に挿通したりすることが可能である。
【００６０】
なお、図１４では、タオル本体３１ｂに、孔部２３及び内方孔部３３ａ，３３ｂに加え、中央線Ｎ上に貫通して形成された中央孔部３４が設けられている場合を例示している。このような中央孔部３４を備えることにより、タオル３０ｂを首に巻かないときに、孔部挿通片２５または内方孔部挿通片３５を中央孔部３４に挿通して環状とすることにより、環の部分をフック等に引掛け、タオル３０ｂを係止することができる。
【００６１】
次に、本発明の第四実施形態のタオル４０について、図１５を用いて説明する。タオル４０は、挿通部として、タオル本体４１の一端側に設けられた第一挿通部４２ａと、第一挿通部４２ａが設けられた面とは反対側の面でタオル本体４１の他端側に設けられた第二挿通部４２ｂとを具備する。
【００６２】
上記構成のタオル４０では、タオル本体４１の二面のうち、どちらの面を外側にして首に巻いても、第一挿通部４２ａ及び第二挿通部４２ｂの何れかにタオル本体４１の他端を挿通することができる。これにより、首に巻かれたタオルどちらの面を外側にして首に巻くかを使用者が気にする必要がなく、より使い勝手が良い。加えて、二面の色や柄が異なるリバーシブルタイプのタオル本体４１とし、両面を使い分けることが可能となる。
【００６３】
上述の第一実施形態〜第四実施形態のタオル１０，２０，３０，３０ｂ，４０において、挿通部１２，２２，４２ａ，４２ｂは、少なくとも一部に消臭テープを用いた帯状の材料で形成されているものとすることができる。例えば、挿通部１２を形成する帯状部材１３，１４、挿通部２２を形成する孔部挿通片２５自体を、消臭テープで形成することができる。或いは、帯状部材１３，１４または帯状の孔部挿通片２５が、布を折り畳んで縁を縫い合わせることにより形成されており、その内部に消臭テープが収容されている形態とすることができる。なお、内方孔部挿通片３５も、同様に、少なくとも一部に消臭テープを用いた帯状の材料で形成されているものとすることができる。
【００６４】
以上本発明に係るタオルの例を示したが、本発明にかかるタオルは、上述の例に限らず、本発明の要旨を逸脱しない範囲で、適宜の変更が可能である。
【００６５】
例えば、上述の例では、タオル本体を四つ折りにして使用する例を主に示したが、二つ折りや三つ折りにして使用してもよい。この場合には、挿通部の長さ及び配置部位を二つ折りや三つ折りに対応させればよい。
【００６６】
また、タオル本体の一端側においてのみ挿通部を設けるに限らず、両端側に夫々、挿通部を設けてもよい。ここで、両端側の夫々に挿通部を設ける場合には、一端側の挿通部と他端側の挿通部とで、対応するタオル本体の折数が異なるものとすると、タオル本体の折数のパターンを増やすことができる。また、両端側の夫々に挿通部を設ける場合には、各挿通部の色や柄が異なるものとして、二通りのファッションを楽しめるようにしてもよい。
【００６７】
また、タオル本体を折って使用せずにそのままで使用する場合や、タオル本体を折った状態で安定させない場合には、挿通部を設ける部位として、タオル本体の内方の部位に限らず、タオル本体の末端部としてもよい。
【００６８】
また、第一実施形態のタオル１０の更なる変形例として、図１６に示すように、タオル本体１１の側縁部に両端部分が接合された帯状部材１５によって挿通部１２が形成されており、挿通部１２がタオル本体１１の側端より外側に位置する構成とすることができる。
【符号の説明】
【００６９】
１０，２０，３０，３０ｂ，４０  タオル
１１，２１，３１，３１ｂ，４１  タオル本体
１２，２２  挿通部
１３，１４，１５  帯状部材
２３  孔部
２５  孔部挿通片
３３ａ，３３ｂ  内方孔部
３５  内方孔部挿通片
４２ａ  第一挿通部（挿通部）
４２ｂ  第二挿通部（挿通部）
【図１】
2012130665.tif 000003
【図２】
2012130665.tif 000004
【図３】
2012130665.tif 000005
【図４】
2012130665.tif 000006
【図５】
2012130665.tif 000007
【図６】
2012130665.tif 000008
【図７】
2012130665.tif 000009
【図８】
2012130665.tif 000010
【図９】
2012130665.tif 000011
【図１０】
2012130665.tif 000012
【図１１】
2012130665.tif 000013
【図１２】
2012130665.tif 000014
【図１３】
2012130665.tif 000015
【図１４】
2012130665.tif 000016
【図１５】
2012130665.tif 000017
【図１６】
2012130665.tif 000018